【手続補正書】
【提出日】平成26年9月5日(2014.9.5)
【手続補正１】
【補正対象書類名】特許請求の範囲
【補正対象項目名】全文
【補正方法】変更
【補正の内容】
【特許請求の範囲】
【請求項１】
偏向器を有する光走査装置に用いられ、光源と、該光源から出射した光束を集光し前記偏向器に導く集光光学素子と、を備える光源ユニットの調整装置であって、
前記集光光学素子からの光束を主走査方向及び副走査方向の少なくとも一方において複数の光束に分割する分割素子と、
前記複数の光束により受光面上に複数の像を形成する結像光学素子と、
前記像同士の相対位置と、前記集光光学素子の光軸に対する前記複数の像の位置と、に基づいて、前記光源と前記集光光学素子との前記集光光学素子の光軸方向における相対位置と、前記光源と前記集光光学素子との光軸方向に垂直な方向における相対位置と、を調整する調整機構と、を有すること特徴とする調整装置。
【請求項２】
前記光源ユニットが備える前記光源と前記偏向器との間に設けられる第１の絞りと光学的に等価な位置に配置される第２の絞りを有しており、前記分割素子は、前記第２の絞りを通過した光束を複数の光束に分割することを特徴とする請求項１に記載の調整装置。
【請求項３】
前記分割素子は、前記集光光学素子からの光束を主走査方向及び副走査方向の両方において複数の光束に分割することを特徴とする請求項１又は２に記載の調整装置。
【請求項４】
前記調整機構は、前記光源と前記集光光学素子との、主走査方向、副走査方向、及び前記光軸方向における相対位置の夫々を調整することを特徴とする請求項３に記載の調整装置。
【請求項５】
前記分割素子において、入射面及び出射面の一方は１つの平面から成り、他方は互いに非平行であり且つ前記平面に非平行である複数の平面から成ることを特徴とする請求項１乃至４のいずれか１項に記載の調整装置。
【請求項６】
前記分割素子の入射面及び出射面の一方は、複数のプリズムが配列されたプリズムアレイを含むことを特徴とする請求項１乃至５のいずれか１項に記載の調整装置。
【請求項７】
前記複数のプリズムは、前記プリズムアレイに入射する光束の瞳の最大径方向に配列されていることを特徴とする請求項６に記載の調整装置。
【請求項８】
前記光源ユニットが備える各部材が設計値通りに配置されている場合に、前記光源から出射して前記プリズムアレイにより前記最大径方向に分割された光束同士の相対角度をＰ（ｒａｄ）、前記プリズムアレイに入射する光束の瞳の前記最大径方向の幅をＨ、前記集光光学素子の焦点距離をＦ、前記結像光学素子の焦点距離をＦｊ、前記受光面上に集光された光束のスポット径をＳｐ、前記光源と前記集光光学素子との光軸方向における間隔の最大ズレ量の絶対値をＸｍａｘ、とするとき、
Ｐ×Ｆｊ＋Ｓｐ＞２×Ｆｊ×Ｘｍａｘ×Ｈ／（４×Ｆ２）
なる条件を満たすことを特徴とする請求項７に記載に調整装置。
【請求項９】
前記分割素子の入射面及び出射面の少なくとも一方は、同一の曲率を有する複数の曲面が配列されたレンズアレイから成ることを特徴とする請求項１乃至４のいずれか１項に記載の調整装置。
【請求項１０】
前記複数の曲面は、前記レンズアレイに入射する光束の瞳の最大径方向に配列されていることを特徴とする請求項９に記載の調整装置。
【請求項１１】
偏向器を有する光走査装置に用いられ、光源と、該光源から出射した光束を集光し前記偏向器に導く集光光学素子と、を備える光源ユニットの製造方法であって、
前記集光光学素子からの光束を主走査方向及び副走査方向の少なくとも一方において複数の光束に分割し、前記複数の光束により受光面上に複数の像を形成し、前記像同士の相対位置と、前記集光光学素子の光軸に対する前記複数の像の位置と、に基づいて、前記光源と前記集光光学素子との前記集光光学素子の光軸方向における相対位置と、前記光源と前記集光光学素子との前記光軸方向に垂直な方向における相対位置と、を調整する工程を有することを特徴とする製造方法。
【手続補正２】
【補正対象書類名】明細書
【補正対象項目名】発明の名称
【補正方法】変更
【補正の内容】
【発明の名称】光源ユニットの調整装置及び製造方法
【手続補正３】
【補正対象書類名】明細書
【補正対象項目名】００１２
【補正方法】変更
【補正の内容】
【００１２】
本発明の、偏向器を有する光走査装置に用いられ、光源と、該光源から出射した光束を集光し前記偏向器に導く集光光学素子と、を備える光源ユニットの調整装置は、以下の構成を有する。
前記集光光学素子からの光束を主走査方向及び副走査方向の少なくとも一方において複数の光束に分割する分割素子と、前記複数の光束により受光面上に複数の像を形成する結像光学素子と、前記像同士の相対位置と、前記集光光学素子の光軸に対する前記複数の像の位置と、に基づいて、前記光源と前記集光光学素子との前記集光光学素子の光軸方向における相対位置と、前記光源と前記集光光学素子との光軸方向に垂直な方向における相対位置と、を調整する調整機構と、を有すること特徴とする。
【手続補正４】
【補正対象書類名】明細書
【補正対象項目名】００１３
【補正方法】変更
【補正の内容】
【００１３】
調整装置はさらに、前記光源ユニットが備える前記光源と前記偏向器との間に設けられる第１の絞りと光学的に等価な位置に配置される第２の絞りを有しており、前記分割素子は、前記第２の絞りを通過した光束を複数の光束に分割する、こと特徴とする。
【手続補正５】
【補正対象書類名】明細書
【補正対象項目名】００１４
【補正方法】変更
【補正の内容】
【００１４】
調整装置はさらに、前記分割素子は、前記集光光学素子からの光束を主走査方向及び副走査方向の両方において複数の光束に分割することを特徴とする。
前記調整機構はさらに、前記光源と前記集光光学素子との、主走査方向、副走査方向、及び前記光軸方向における相対位置の夫々を調整する、こと特徴とする。
【手続補正６】
【補正対象書類名】明細書
【補正対象項目名】００１５
【補正方法】変更
【補正の内容】
【００１５】
調整装置はさらに、前記分割素子において、入射面及び出射面の一方は１つの平面から成り、他方は互いに非平行であり且つ前記平面に非平行である複数の平面から成る、こと特徴とする。
【手続補正７】
【補正対象書類名】明細書
【補正対象項目名】００１６
【補正方法】変更
【補正の内容】
【００１６】
調整装置はさらに、前記分割素子の入射面及び出射面の一方は、複数のプリズムが配列されたプリズムアレイを含むことを特徴とする。
調整装置はさらに、前記複数のプリズムは、前記プリズムアレイに入射する光束の瞳の最大径方向に配列されている、こと特徴とする。
【手続補正８】
【補正対象書類名】明細書
【補正対象項目名】００１７
【補正方法】変更
【補正の内容】
【００１７】
調整装置はさらに、前記光源ユニットが備える各部材が設計値通りに配置されている場合に、前記光源から出射して前記プリズムアレイにより前記最大径方向に分割された光束同士の相対角度をＰ（ｒａｄ）、前記プリズムアレイに入射する光束の瞳の前記最大径方向の幅をＨ、前記集光光学素子の焦点距離をＦ、前記結像光学素子の焦点距離をＦｊ、前記受光面上に集光された光束のスポット径をＳｐ、前記光源と前記集光光学素子との光軸方向における間隔の最大ズレ量の絶対値をＸｍａｘ、とするとき、
Ｐ×Ｆｊ＋Ｓｐ＞２×Ｆｊ×Ｘｍａｘ×Ｈ／（４×Ｆ２）
なる条件を満たすことを特徴とする。
【手続補正９】
【補正対象書類名】明細書
【補正対象項目名】００１８
【補正方法】変更
【補正の内容】
【００１８】
調整装置はさらに、前記分割素子の入射面及び出射面の少なくとも一方は、同一の曲率を有する複数の曲面が配列されたレンズアレイから成ることを特徴とする。
【手続補正１０】
【補正対象書類名】明細書
【補正対象項目名】００１９
【補正方法】変更
【補正の内容】
【００１９】
調整装置はさらに、前記複数の曲面は、前記レンズアレイに入射する光束の瞳の最大径方向に配列されていることを特徴とする。
【手続補正１１】
【補正対象書類名】明細書
【補正対象項目名】００２０
【補正方法】削除
【補正の内容】
【手続補正１２】
【補正対象書類名】明細書
【補正対象項目名】００２１
【補正方法】削除
【補正の内容】
【手続補正１３】
【補正対象書類名】明細書
【補正対象項目名】００２２
【補正方法】削除
【補正の内容】
【手続補正１４】
【補正対象書類名】明細書
【補正対象項目名】００２３
【補正方法】変更
【補正の内容】
【００２３】
偏向器を有する光走査装置に用いられ、光源と、該光源から出射した光束を集光し前記偏向器に導く集光光学素子と、を備える光源ユニットの製造方法であって、前記集光光学素子からの光束を主走査方向及び副走査方向の少なくとも一方において複数の光束に分割し、前記複数の光束により受光面上に複数の像を形成し、前記像同士の相対位置と、前記集光光学素子の光軸に対する前記複数の像の位置と、に基づいて、前記光源と前記集光光学素子との前記集光光学素子の光軸方向における相対位置と、前記光源と前記集光光学素子との前記光軸方向に垂直な方向における相対位置と、を調整する工程を有すること特徴とする。